(57)【要約】【課題】省エネ性能が向上された換気システムを得ることを目的とする。また、省エネ性能が向上された換気システムの制御方法を得ることを目的とする。【解決手段】換気システム１は、建物内の少なくとも一部を空調する空調設備機器１１と、建物内の少なくとも一部を換気する換気設備機器２１と、空調設備機器１１及び換気設備機器２１の運転を制御する制御装置５１と、を備え、制御装置５１は、換気設備機器２１の、建物内の少なくとも一部の換気量が定常状態と比較して増加する非定常状態が、有効であるか否かを判別し、有効であると判別される場合に、換気設備機器２１を定常状態から非定常状態に切り換えるものである。【選択図】図１
2015040655.tif 000002
【特許請求の範囲】
【請求項１】
建物内の少なくとも一部を空調する空調設備機器と、
前記建物内の少なくとも一部を換気する換気設備機器と、
前記空調設備機器及び前記換気設備機器の運転を制御する制御装置と、
を備え、
前記制御装置は、前記換気設備機器の、前記建物内の少なくとも一部の換気量が定常状態と比較して増加する非定常状態が、有効であるか否かを判別し、有効であると判別される場合に、前記換気設備機器を該定常状態から該非定常状態に切り換える、
ことを特徴とする換気システム。
【請求項２】
前記制御装置は、前記換気設備機器を前記定常状態から前記非定常状態に切り換えた後に、前記非定常状態が有効であるか否かを判別し、有効でないと判別される場合に前記換気設備機器を前記非定常状態から前記定常状態に切り換える、
ことを特徴とする請求項１に記載の換気システム。
【請求項３】
前記建物内の少なくとも一部の空気の温度を検出する第１温度センサーを備え、
前記制御装置は、前記第１温度センサーの検出温度に基づいて、前記非定常状態が有効であるか否かを判別する、
ことを特徴とする請求項１又は２に記載の換気システム。
【請求項４】
前記制御装置は、前記第１温度センサーの検出温度が、前記空調設備機器の空調動作の設定温度と比較して高い場合、又は、前記第１温度センサーの検出温度が、前記空調設備機器の空調動作の設定温度と比較して高く、その差が予め設定された第１基準温度と比較して大きい場合に、前記非定常状態が有効であると判別する、
ことを特徴とする請求項３に記載の換気システム。
【請求項５】
前記建物内の少なくとも一部に前記換気設備機器によって吸入される空気の温度を検出する第２温度センサーを備え、
前記制御装置は、前記第１温度センサーの検出温度が、前記第２温度センサーの検出温度と比較して高い場合、又は、前記第１温度センサーの検出温度が、前記第２温度センサーの検出温度と比較して高く、その差が予め設定された第２基準温度と比較して大きい場合に、前記非定常状態が有効であると判別する、
ことを特徴とする請求項３又は４に記載の換気システム。
【請求項６】
前記建物内の少なくとも一部の空気の温度を前記第１温度センサーと比較して高い位置で検出する第３温度センサーを備え、
前記制御装置は、前記第３温度センサーの検出温度が、前記第１温度センサーの検出温度と比較して高い場合、又は、前記第３温度センサーの検出温度が、前記第１温度センサーの検出温度と比較して高く、その差が予め設定された第３基準温度と比較して大きい場合に、前記非定常状態が有効であると判別する、
ことを特徴とする請求項３〜５のいずれか一項に記載の換気システム。
【請求項７】
前記第１温度センサーは、前記空調設備機器及び前記換気設備機器のうちの少なくともいずれか一方に設けられた、
ことを特徴とする請求項３〜６のいずれか一項に記載の換気システム。
【請求項８】
前記制御装置は、前記空調設備機器の空調動作を開始する第１時刻から予め設定された第１基準時間だけ前の第２時刻に、前記非定常状態が有効であるか否かの判別を開始する、
ことを特徴とする請求項１〜７のいずれか一項に記載の換気システム。
【請求項９】
建物内の少なくとも一部を空調する空調設備機器と、
前記建物内の少なくとも一部を換気する換気設備機器と、
前記空調設備機器及び換気設備機器の運転を制御する制御装置と、
を備え、
前記制御装置は、前記空調設備機器の空調動作を開始する第１時刻から予め設定された第１基準時間だけ前の第２時刻に、前記換気設備機器を、定常状態から該定常状態と比較して前記建物内の少なくとも一部の換気量が増加する非定常状態に切り換える、
ことを特徴とする換気システム。
【請求項１０】
前記換気設備機器は、前記第１時刻において、前記定常状態である、
ことを特徴とする請求項８又は９に記載の換気システム。
【請求項１１】
前記第１基準時間は、前記建物内の少なくとも一部の容積、前記建物内の少なくとも一部の断熱性能、及び、前記換気設備機器の前記非定常状態での換気性能のうちの少なくともいずれか１つに基づいて設定される、
ことを特徴とする請求項８〜１０のいずれか一項に記載の換気システム。
【請求項１２】
前記制御装置は、前記建物内の少なくとも一部の使用開始時刻である第３時刻を入力する第３時刻入力部を有し、前記第３時刻から予め設定された第２基準時間だけ前の前記第１時刻に前記空調動作を開始する、
ことを特徴とする請求項８〜１１のいずれか一項に記載の換気システム。
【請求項１３】
前記制御装置は、前記建物内の少なくとも一部の使用開始時刻である第３時刻を入力する第３時刻入力部を有し、前記第３時刻から予め設定された第３基準時間だけ前の第４時刻に、前記非定常状態が有効であるか否かの判別を開始する、
ことを特徴とする請求項１〜７のいずれか一項に記載の換気システム。
【請求項１４】
建物内の少なくとも一部を空調する空調設備機器と、
前記建物内の少なくとも一部を換気する換気設備機器と、
前記空調設備機器及び前記換気設備機器の運転を制御する制御装置と、
を備え、
前記制御装置は、前記建物内の少なくとも一部の使用開始時刻である第３時刻を入力する第３時刻入力部を有し、前記第３時刻から予め設定された第３基準時間だけ前の第４時刻に、前記換気設備機器を、定常状態から該定常状態と比較して前記建物内の少なくとも一部の換気量が増加する非定常状態に切り換える、
ことを特徴とする換気システム。
【請求項１５】
前記第３基準時間は、前記建物内の少なくとも一部の容積、前記建物内の少なくとも一部の断熱性能、及び、前記換気設備機器の前記非定常状態での換気性能のうちの少なくともいずれか１つに基づいて設定される、
ことを特徴とする請求項１３又は１４に記載の換気システム。
【請求項１６】
前記第３時刻入力部は、前記第３時刻を遠隔操作機器から受信する、
ことを特徴とする請求項１２〜１５のいずれか一項に記載の換気システム。
【請求項１７】
前記換気設備機器は、前記建物内の少なくとも一部の互いに異なる位置に設けられた複数の換気装置を有し、
前記制御装置は、前記複数の換気装置のうちの一部を排気用の換気装置として稼働させ、前記複数の換気装置のうちの他の一部を吸気用の換気装置として稼働させることで、前記換気設備機器を前記非定常状態にする、
ことを特徴とする請求項１〜１６のいずれか一項に記載の換気システム。
【請求項１８】
前記排気用の換気装置は、前記建物内の少なくとも一部の上側の階に設けられた換気装置であり、
前記吸気用の換気装置は、前記建物内の少なくとも一部の下側の階に設けられた換気装置である、
ことを特徴とする請求項１７に記載の換気システム。
【請求項１９】
建物内の少なくとも一部を空調する空調設備機器と、
前記建物内の少なくとも一部を換気する換気設備機器と、
前記空調設備機器及び前記換気設備機器の運転を制御する制御装置と、
を備え、
前記換気設備機器は、前記建物内の少なくとも一部の互いに異なる位置に設けられた複数の換気装置を有し、
前記制御装置は、前記複数の換気装置のうちの前記建物内の少なくとも一部の上側の階に設けられた換気装置を排気用の換気装置として稼働させ、前記複数の換気装置のうちの前記建物内の少なくとも一部の下側の階に設けられた換気装置を吸気用の換気装置として稼働させることで、前記換気設備機器を、定常状態から該定常状態と比較して前記建物内の少なくとも一部の換気量が増加する非定常状態に切り換える、
ことを特徴とする換気システム。
【請求項２０】
前記制御装置は、前記建物内の少なくとも一部の間取りを入力する間取り入力部と、少なくとも前記換気装置の配置を入力する設備機器配置入力部と、を有し、
前記建物内の少なくとも一部に、３つ以上の前記換気装置が設けられ、
前記制御装置は、前記間取り及び前記換気装置の配置に基づいて、前記３つ以上の換気装置のうちから、最も距離が離れた２つの換気装置を選択し、該２つの換気装置のうちの一方を前記排気用の換気装置として稼働させ、他方を前記吸気用の換気装置として稼働させる、
ことを特徴とする請求項１７〜１９のいずれか一項に記載の換気システム。
【請求項２１】
前記設備機器配置入力部は、前記空調設備機器の配置を入力し、
前記建物内の少なくとも一部に、複数の前記空調設備機器が設けられ、
前記複数の空調設備機器のうちの一部の空調設備機器が空調動作を開始する場合において、前記制御装置は、前記間取り、前記空調設備機器の配置、及び前記換気装置の配置に基づいて、前記３つ以上の換気装置のうちから、該空調動作を開始する空調設備機器によって空調される空気を換気でき、且つ、最も距離が離れた２つの換気装置を選択し、該２つの換気装置のうちの一方を前記排気用の換気装置として稼働させ、他方を前記吸気用の換気装置として稼働させる、
ことを特徴とする請求項２０に記載の換気システム。
【請求項２２】
建物内の少なくとも一部を空調する空調設備機器と、
前記建物内の少なくとも一部を換気する換気設備機器と、
前記空調設備機器及び前記換気設備機器の運転を制御する制御装置と、
を備え、
前記換気設備機器は、前記建物内の少なくとも一部の互いに異なる位置に設けられた３つ以上の換気装置を有し、
前記制御装置は、前記建物内の少なくとも一部の間取りを入力する間取り入力部と、少なくとも前記換気装置の配置を入力する設備機器配置入力部と、を有し、
前記制御装置は、前記間取り及び前記換気装置の配置に基づいて、前記３つ以上の換気装置のうちから、最も距離が離れた２つの換気装置を選択し、該２つの換気装置のうちの一方を排気用の換気装置として稼働させ、他方を吸気用の換気装置として稼働させることで、前記換気設備機器を、定常状態から該定常状態と比較して前記建物内の少なくとも一部の換気量が増加する非定常状態に切り換える、
ことを特徴とする換気システム。
【請求項２３】
建物内の少なくとも一部を空調する空調設備機器と、
前記建物内の少なくとも一部を換気する換気設備機器と、
前記空調設備機器及び前記換気設備機器の運転を制御する制御装置と、
を備え、
前記換気設備機器は、前記建物内の少なくとも一部の互いに異なる位置に設けられた３つ以上の換気装置を有し、
前記制御装置は、前記建物内の少なくとも一部の間取りを入力する間取り入力部と、少なくとも前記空調設備機器及び前記換気装置の配置を入力する設備機器配置入力部と、を有し、
前記建物内の少なくとも一部に、複数の前記空調設備機器が設けられ、
前記複数の空調設備機器のうちの一部の空調設備機器が空調動作を開始する場合において、前記制御装置は、前記間取り、前記空調設備機器の配置、及び前記換気装置の配置に基づいて、前記３つ以上の換気装置のうちから、該空調動作を開始する空調設備機器によって空調される空気を換気できる２つの換気装置を選択し、該２つの換気装置のうちの一方を排気用の換気装置として稼働させ、他方を吸気用の換気装置として稼働させることで、前記換気設備機器を、定常状態から該定常状態と比較して前記建物内の少なくとも一部の換気量が増加する非定常状態に切り換える、
ことを特徴とする換気システム。
【請求項２４】
前記間取り入力部は、前記間取りを遠隔操作機器から受信する、
ことを特徴とする請求項２０〜２３のいずれか一項に記載の換気システム。
【請求項２５】
前記設備機器配置入力部は、前記配置を遠隔操作機器から受信する、
ことを特徴とする請求項２０〜２４のいずれか一項に記載の換気システム。
【請求項２６】
前記遠隔操作機器は、携帯電話、又は、タブレット端末である、
ことを特徴とする請求項１６、２４、及び２５のいずれか一項に記載の換気システム。
【請求項２７】
建物内の少なくとも一部を空調する空調設備機器と、前記建物内の少なくとも一部を換気する換気設備機器と、前記空調設備機器及び前記換気設備機器の運転を制御する制御装置と、を備えた換気システムの制御方法であって、
前記換気設備機器の、前記建物内の少なくとも一部の換気量が定常状態と比較して増加する非定常状態が、有効であるか否かを判別し、有効であると判別される場合に、前記換気設備機器を該定常状態から該非定常状態に切り換える、
ことを特徴とする換気システムの制御方法。
【請求項２８】
建物内の少なくとも一部を空調する空調設備機器と、前記建物内の少なくとも一部を換気する換気設備機器と、前記空調設備機器及び前記換気設備機器の運転を制御する制御装置と、を備えた換気システムの制御方法であって、
前記空調設備機器の空調動作を開始する第１時刻から予め設定された第１基準時間だけ前の第２時刻に、前記換気設備機器を、定常状態から該定常状態と比較して前記建物内の少なくとも一部の換気量が増加する非定常状態に切り換える、
ことを特徴とする換気システムの制御方法。
【請求項２９】
建物内の少なくとも一部を空調する空調設備機器と、前記建物内の少なくとも一部を換気する換気設備機器と、前記空調設備機器及び前記換気設備機器の運転を制御し、前記建物内の少なくとも一部の使用開始時刻である第３時刻を入力する第３時刻入力部を有する制御装置と、を備えた換気システムの制御方法であって、
前記第３時刻から予め設定された第３基準時間だけ前の第４時刻に、前記換気設備機器を、定常状態から該定常状態と比較して前記建物内の少なくとも一部の換気量が増加する非定常状態に切り換える、
ことを特徴とする換気システムの制御方法。
【請求項３０】
建物内の少なくとも一部を空調する空調設備機器と、前記建物内の少なくとも一部を換気し、前記建物内の少なくとも一部の互いに異なる位置に設けられた複数の換気装置を有する換気設備機器と、前記空調設備機器及び前記換気設備機器の運転を制御する制御装置と、を備えた換気システムの制御方法であって、
前記複数の換気装置のうちの前記建物内の少なくとも一部の上側の階に設けられた換気装置を排気用の換気装置として稼働させ、前記複数の換気装置のうちの前記建物内の少なくとも一部の下側の階に設けられた換気装置を吸気用の換気装置として稼働させることで、前記換気設備機器を、定常状態から該定常状態と比較して前記建物内の少なくとも一部の換気量が増加する非定常状態に切り換える、
ことを特徴とする換気システムの制御方法。
【請求項３１】
建物内の少なくとも一部を空調する空調設備機器と、前記建物内の少なくとも一部を換気し、３つ以上の換気装置を有する換気設備機器と、前記空調設備機器及び前記換気設備機器の運転を制御し、前記建物内の少なくとも一部の間取りを入力する間取り入力部と、少なくとも前記換気装置の配置を入力する設備機器配置入力部と、を有する制御装置と、を備えた換気システムの制御方法であって、
前記間取り及び前記換気装置の配置に基づいて、前記３つ以上の換気装置のうちから、最も距離が離れた２つの換気装置を選択し、該２つの換気装置のうちの一方を排気用の換気装置として稼働させ、他方を吸気用の換気装置として稼働させることで、前記換気設備機器を、定常状態から該定常状態と比較して前記建物内の少なくとも一部の換気量が増加する非定常状態に切り換える、
ことを特徴とする換気システムの制御方法。
【請求項３２】
建物内の少なくとも一部を空調する複数の空調設備機器と、前記建物内の少なくとも一部を換気し、３つ以上の換気装置を有する換気設備機器と、前記空調設備機器及び前記換気設備機器の運転を制御し、前記建物内の少なくとも一部の間取りを入力する間取り入力部と、少なくとも前記空調設備機器及び前記換気装置の配置を入力する設備機器配置入力部と、を有する制御装置と、を備えた換気システムの制御方法であって、
前記複数の空調設備機器のうちの一部の空調設備機器が空調動作を開始する場合において、前記間取り、前記空調設備機器の配置、及び前記換気装置の配置に基づいて、前記３つ以上の換気装置のうちから、該空調動作を開始する空調設備機器によって空調される空気を換気できる２つの換気装置を選択し、該２つの換気装置のうちの一方を排気用の換気装置として稼働させ、他方を吸気用の換気装置として稼働させることで、前記換気設備機器を、定常状態から該定常状態と比較して前記建物内の少なくとも一部の換気量が増加する非定常状態に切り換える、
ことを特徴とする換気システムの制御方法。
【発明の詳細な説明】
【技術分野】
【０００１】
本発明は、換気システムと、換気システムの制御方法と、に関する。
【背景技術】
【０００２】
従来の換気システムとして、建物内の少なくとも一部を換気する換気設備機器と、換気設備機器の運転を制御する制御装置と、を備えるものがある。そのような換気システムでは、建物内の少なくとも一部が使用されているか否かに拘わらず、換気設備機器が換気動作を行う（例えば、特許文献１を参照）。
【先行技術文献】
【特許文献】
【０００３】
【特許文献１】特開２００２−３９５７８号公報（段落［０００６］〜段落［００１５］、図１〜図３）
【発明の概要】
【発明が解決しようとする課題】
【０００４】
従来の換気システムでは、建物内の少なくとも一部が使用されているか否かに拘わらず、換気設備機器が換気動作を行うため、例えば、夏場等に、使用者等が、建物内の少なくとも一部の使用を開始すると同時に空調設備機器の空調動作を開始させる場合等において、使用者等が建物内の少なくとも一部に篭もった熱によって不快感を覚えることが抑制される。
【０００５】
しかし、例えば、夏場の日中、猛暑日等において、建物内の少なくとも一部の換気が不充分となる場合が生じ、そのような場合には、空調設備機器の空調動作に、建物内の少なくとも一部に篭もった熱の分だけ余分な負荷がかかることとなる。
また、建物内の少なくとも一部の換気が不充分とならないように、換気設備機器の換気量（例えば、換気扇の風量等）を一律に増やしても、換気設備機器の換気が充分又は不要である時まで換気設備機器の換気量が増やされてしまい、換気設備機器の換気動作に、余分な負荷がかかることとなる。
つまり、従来の換気システムでは、省エネ性能が充分でないという問題点があった。
【０００６】
本発明は、上記のような課題を背景としてなされたものであり、省エネ性能が向上された換気システムを得ることを目的とする。また、省エネ性能が向上された換気システムの制御方法を得ることを目的とする。
【課題を解決するための手段】
【０００７】
本発明に係る換気システムは、建物内の少なくとも一部を空調する空調設備機器と、前記建物内の少なくとも一部を換気する換気設備機器と、前記空調設備機器及び前記換気設備機器の運転を制御する制御装置と、を備え、前記制御装置は、前記換気設備機器の、前記建物内の少なくとも一部の換気量が定常状態と比較して増加する非定常状態が、有効であるか否かを判別し、有効であると判別される場合に、前記換気設備機器を該定常状態から該非定常状態に切り換えるものである。
【発明の効果】
【０００８】
本発明に係る換気システムは、制御装置が、換気設備機器の、建物内の少なくとも一部の換気量が定常状態と比較して増加する非定常状態が、有効であるか否かを判別し、有効であると判別される場合に、換気設備機器を定常状態から非定常状態に切り換えるものであるため、空調設備機器の空調動作に余分な負荷がかかることの抑制と、換気設備機器の換気動作に余分な負荷がかかることの抑制とが、両立されて、省エネ性能が向上される。
【図面の簡単な説明】
【０００９】
【図１】本発明の実施の形態１に係る換気システムの、構成を説明する図である。
【図２】本発明の実施の形態１に係る換気システムの、システムブロック図である。
【図３】本発明の実施の形態１に係る換気システムの、有効判別処理のフローチャートである。
【図４】本発明の実施の形態２に係る換気システムの、有効判別処理のフローチャートである。
【図５】本発明の実施の形態３に係る換気システムの、システムブロック図である。
【図６】本発明の実施の形態３に係る換気システムの、有効判別処理のフローチャートである。
【図７】本発明の実施の形態４に係る換気システムの、システムブロック図である。
【図８】本発明の実施の形態４に係る換気システムの、有効判別処理のフローチャートである。
【図９】本発明の実施の形態５に係る換気システムの、システムブロック図である。
【図１０】本発明の実施の形態５に係る換気システムの、遠隔操作機器における住宅の間取りと設備機器の配置との設定画面を示す図である。
【図１１】本発明の実施の形態５に係る換気システムの、有効判別処理のフローチャートである。
【図１２】本発明の実施の形態６に係る換気システムの、有効判別処理のフローチャートである。
【図１３】本発明の実施の形態６に係る換気システムの、作用を説明する図である。
【発明を実施するための形態】
【００１０】
以下、本発明に係る換気システムについて、図面を用いて説明する。
なお、以下では、本発明に係る換気システムが、戸建て住宅に適用される場合を説明するが、ビル、集合住宅等の他の建物の一部又は全てに適用されてもよい。
また、以下で説明する構成、動作等は、一例であり、本発明に係る換気システムは、そのような構成、動作等に限定されない。
また、各図において、同一の又は類似する部材又は部分には、同一の符号を付すか、又は、符号を付すことを省略している。
また、細かい構造については、適宜図示を簡略化又は省略している。
また、重複又は類似する説明については、適宜簡略化又は省略している。
【００１１】
実施の形態１．
実施の形態１に係る換気システムについて説明する。
＜換気システムの構成＞
以下に、実施の形態１に係る換気システムの構成について説明する。
【００１２】
図１は、本発明の実施の形態１に係る換気システムの、構成を説明する図である。図２は、本発明の実施の形態１に係る換気システムの、システムブロック図である。なお、図１では、排気用換気扇３１の気流を黒矢印で示し、吸気用換気扇４１の気流を白矢印で示している。また、図１及び図２では、有線の通信線を実線で示し、無線の通信線を点線で示している。
【００１３】
図１及び図２に示されるように、換気システム１は、例えば、複数の部屋を有する高気密な住宅２に適用され、空調設備機器１１と、換気設備機器２１と、それらの運転を制御する制御装置５１と、を備える。
【００１４】
空調設備機器１１は、例えば、住宅２のリビング、各個室等に設けられ、住宅２の宅外に設けられた室外空調設備機器１２に冷媒配管で接続される。空調設備機器１１は、各部屋を空調して温度環境、湿度環境等を変化させる。空調設備機器１１には、部屋内の空気の温度を検出する室内温度センサー１３が設けられる。室外空調設備機器１２には、部屋外の空気の温度を検出する室外温度センサー１４が設けられる。空調設備機器１１及び室外空調設備機器１２は、制御装置５１によって、室内温度センサー１３の検出温度が設定温度になるように運転される。室内温度センサー１３は、本発明の「第１温度センサー」に相当する。室外温度センサー１４は、本発明の「第２温度センサー」に相当する。
【００１５】
換気設備機器２１は、制御装置５１によって、定常状態と、定常状態と比較して住宅２の宅内の換気量を一時的に増加させる非定常状態と、が切り換えられる。換気設備機器２１は、宅内から宅外に空気を排出する排気用換気扇３１と、宅外から宅内に空気を吸入する吸気用換気扇４１と、で構成される。排気用換気扇３１及び吸気用換気扇４１のそれぞれが、宅外から宅内に空気を吸入することと、宅内から宅外に空気を排出することと、を切り換えるものであってもよい。なお、換気設備機器２１は、直接空気を排出又は吸入してもよく、また、ダクト等を介して空気を排出又は吸入してもよい。換気設備機器２１に部屋内の空気の温度を検出する室内温度センサーが設けられてもよく、そのような場合には、その室内温度センサーは、本発明の「第１温度センサー」に相当する。換気設備機器２１に部屋外の空気の温度を検出する室外温度センサーが設けられてもよく、そのような場合には、その室外温度センサーは、本発明の「第２温度センサー」に相当する。排気用換気扇３１及び吸気用換気扇４１のそれぞれは、本発明の「換気装置」に相当する。
【００１６】
排気用換気扇３１は、例えば、住宅２のキッチン、洗面、浴室、トイレ、各個室等に設けられる。排気用換気扇３１は、少なくとも、住宅２のキッチン、洗面、浴室、トイレ等のような、集中的な換気が必要となる部屋に設けられる。例えば、１つの排気用換気扇３１に、排出される空気の風量を検出する排気風量センサー３２が設けられるとよい。そのような場合には、制御装置５１によって、排気風量センサー３２の検出風量が設定風量になるように、その１つの排気用換気扇３１及び他の排気用換気扇３１に印加する電圧が調整されるとよい。
【００１７】
排気用換気扇３１の少なくとも一部は、制御装置５１によって常時運転される。つまり、排気用換気扇３１の少なくとも一部は、換気設備機器２１が定常状態である場合でも、換気設備機器２１が非定常状態である場合でも、常時運転される。なお、排気用換気扇３１の少なくとも一部は、設定風量を変化させながら常時運転されてもよく、また、稼働と停止が繰り返されるように常時運転されてもよい。また、排気用換気扇３１の少なくとも一部は、換気設備機器２１が定常状態である場合に停止し、換気設備機器２１が非定常状態である場合に稼働するように制御されてもよい。
【００１８】
吸気用換気扇４１は、例えば、住宅２のリビング、一部の個室等に設けられる。吸気用換気扇４１は、例えば、集中的な換気が必要となる部屋と最も距離が離れた部屋に設けられる。吸気用換気扇４１は、住宅２の宅内の換気量を一時的に増加させる場合に、排気用換気扇３１と共に稼働される。つまり、吸気用換気扇４１は、換気設備機器２１が非定常状態である場合に稼働される。
【００１９】
制御装置５１は、空調設備機器１１それぞれに設けられ、空調設備機器１１それぞれの運転を司る空調設備機器制御部５２と、天井裏等に設けられ、排気用換気扇３１及び吸気用換気扇４１の運転を一括して司る換気設備機器制御部５３と、空調設備機器制御部５２及び換気設備機器制御部５３等の設備機器全般の運転を管理する宅内設備機器集中管理部５４と、を有する。制御装置５１は、例えば、マイクロプロセッサユニット等で構成されてもよく、また、ファームウェア等の更新可能なもので構成されてもよく、また、ＣＰＵ等からの指令によって実行されるプログラムモジュール等であってもよい。
【００２０】
空調設備機器制御部５２は、使用者等が設定する空調動作の設定温度が携帯電話、タブレット端末等の遠隔操作機器９１、リモコン等を介して入力される設定温度入力部６１と、空調設備機器１１の空調動作を制御する空調動作制御部６２と、宅内設備機器集中管理部５４と通信する通信部６３と、を有する。通信部６３は、室内温度センサー１３の検出温度と室外温度センサー１４の検出温度と設定温度入力部６１に入力された設定温度とを宅内設備機器集中管理部５４に送信する。通信部６３は、例えば、宅内設備機器集中管理部５４と無線で通信する。
【００２１】
換気設備機器制御部５３は、使用者等が設定する定常状態及び非定常状態での設定風量が携帯電話、タブレット端末等の遠隔操作機器９１、リモコン等を介して入力される設定風量入力部７１と、排気用換気扇３１及び吸気用換気扇４１の換気動作を制御する換気動作制御部７２と、換気動作制御部７２の指令を排気用換気扇３１及び吸気用換気扇４１のそれぞれに送信する通信部７３と、宅内設備機器集中管理部５４と通信する通信部７４と、を有する。通信部７３は、排気用換気扇３１及び吸気用換気扇４１と有線で通信してもよく、また、無線で通信してもよい。通信部７４は、例えば、宅内設備機器集中管理部５４と無線で通信する。例えば、排気用換気扇３１と吸気用換気扇４１とが、別系統の電源から電力が供給され、吸気用換気扇４１が、換気設備機器制御部５３に設けられた電圧印加開閉を行える無電圧接点に接続されるとよい。
【００２２】
宅内設備機器集中管理部５４は、換気設備機器２１の非定常状態の有効性の判別を行う有効性判別部８１と、有効性判別部８１の判別結果に応じて空調動作の開始指令等を空調設備機器制御部５２に送信し、有効性判別部８１の判別結果に応じて換気動作の開始指令、停止指令等を換気設備機器制御部５３に送信する通信部８２と、携帯電話、タブレット端末等の遠隔操作機器９１と通信する通信部８３と、を有する。通信部８３は、例えば、携帯電話、タブレット端末等の遠隔操作機器９１と公共無線ラインを介して通信する。
【００２３】
＜換気システムの動作＞
以下に、実施の形態１に係る換気システムの動作について説明する。
有効性判別部８１は、例えば、使用者等が、住宅２の宅外から携帯電話、タブレット端末等の遠隔操作機器９１等を介して、換気設備機器２１の換気動作の開始指令を制御装置５１に送信すると、以下に説明する有効判別処理を行う。
【００２４】
図３は、本発明の実施の形態１に係る換気システムの、有効判別処理のフローチャートである。
図３に示されるように、有効性判別部８１は、Ｓ１０１において、室内温度センサー１３の検出温度Ｔｉｎと、設定温度入力部６１に入力された設定温度Ｔａと、を比較し、Ｔｉｎ＞Ｔａである場合には、Ｓ１０２に進む。Ｔｉｎ＞Ｔａでない場合には、Ｓ１０３に進んで、換気設備機器２１が定常状態になり、空調設備機器１１が暖房運転を行うように、換気設備機器制御部５３及び空調設備機器制御部５２に指令を送信する。
【００２５】
有効性判別部８１は、Ｓ１０２において、室内温度センサー１３の検出温度Ｔｉｎと室外温度センサー１４の検出温度Ｔｏｕｔとの差（Ｔｉｎ−Ｔｏｕｔ）と、予め設定された基準温度Ｔｓと、を比較し、（Ｔｉｎ−Ｔｏｕｔ）＞Ｔｓである場合には、Ｓ１０４に進んで、換気設備機器２１が非定常状態になるように、換気設備機器制御部５３に指令を送信し、Ｓ１０２に戻る。（Ｔｉｎ−Ｔｏｕｔ）＞Ｔｓでない場合には、Ｓ１０５に進んで、換気設備機器２１が定常状態になり、空調設備機器１１が冷房運転を行うように、換気設備機器制御部５３及び空調設備機器制御部５２に指令を送信する。基準温度Ｔｓは、例えば、使用者等によって任意の値に設定されてもよく、また、制御装置５１によって季節等に応じた値に設定されてもよい。室内温度センサー１３の検出温度Ｔｉｎと、室外温度センサー１４の検出温度Ｔｏｕｔと、を比較し、Ｔｉｎ＞Ｔｏｕｔである場合に、Ｓ１０４に進んでもよい。基準温度Ｔｓは、本発明の「第２基準温度」に相当する。
【００２６】
＜換気システムの作用＞
以下に、実施の形態１に係る換気システムの作用について説明する。
換気システム１では、換気設備機器２１の換気動作を開始する際に、有効性判別部８１で、非定常状態が有効であるか否かを判別し、有効であると判別される場合に換気設備機器２１を非定常状態にするため、空調設備機器１１の空調動作に余分な負荷がかかることの抑制と、換気設備機器２１の換気動作に余分な負荷がかかることの抑制とが、両立されて、省エネ性能が向上される。特に、近年需要が増えつつある、スマートハウス、ＨＥＭＳ、ＢＥＭＳ等に組み込まれると好適である。
【００２７】
また、換気システム１では、換気設備機器２１を非定常状態にした後においても、有効性判別部８１で、非定常状態が有効であるか否かの判別を繰り返し、有効でないと判別される場合に換気設備機器２１を定常状態にするため、換気設備機器２１の換気動作に余分な負荷がかかることが抑制されて、省エネ性能が向上される。
【００２８】
また、換気システム１では、室内温度センサー１３の検出温度Ｔｉｎに基づいて、非定常状態が有効であるか否かを判別することができるため、換気システム１を複雑化することがない。特に、室内温度センサー１３が、空調設備機器１１、換気設備機器２１等に既設の温度センサーである場合には、部品費、施工費等が削減される。
【００２９】
また、換気システム１では、室内温度センサー１３の検出温度Ｔｉｎと、設定温度入力部６１に入力された設定温度Ｔａと、を比較し、Ｔｉｎ＞Ｔａでない場合には、換気設備機器２１が非定常状態とされない。そのため、例えば、冬場等において、換気動作によって住宅２の宅内に宅外の冷気が吸入されて、空調設備機器１１の空調動作に余分な負荷がかかることが抑制される。
【００３０】
また、換気システム１では、室内温度センサー１３の検出温度Ｔｉｎと室外温度センサー１４の検出温度Ｔｏｕｔとの差（Ｔｉｎ−Ｔｏｕｔ）が小さい場合には、換気設備機器２１が非定常状態とされない。そのため、住宅２の宅内の放熱が促進されないにも拘らず換気設備機器２１が非定常状態となって、換気設備機器２１の換気動作に余分な負荷がかかることが抑制されて、省エネ性能が向上される。
【００３１】
実施の形態２．
実施の形態２に係る換気システムについて説明する。
なお、以下では、実施の形態１と重複又は類似する説明については、適宜簡略化又は省略している。
＜換気システムの動作＞
以下に、実施の形態２に係る換気システムの動作について説明する。
【００３２】
有効性判別部８１は、例えば、空調設備機器１１の空調動作が行われていない状態において、以下に説明する有効判別処理を繰り返す。
【００３３】
図４は、本発明の実施の形態２に係る換気システムの、有効判別処理のフローチャートである。
図４に示されるように、有効性判別部８１は、Ｓ２０１において、使用者等からの空調設備機器１１の空調動作の開始指令の有無を判定する。開始指令が無い場合には、Ｓ２０２に進む。開始指令が有る場合には、Ｓ２０７に進む。
【００３４】
有効性判別部８１は、室内温度センサー１３の検出温度Ｔｉｎと、設定温度入力部６１に入力された設定温度Ｔａと、を比較し、Ｔｉｎ＞Ｔａである場合には、Ｓ２０３に進む。Ｔｉｎ＞Ｔａでない場合には、Ｓ２０４に進んで、換気設備機器２１が定常状態になるように、換気設備機器制御部５３に指令を送信して、Ｓ２０１に戻る。室内温度センサー１３の検出温度Ｔｉｎと設定温度入力部６１に入力された設定温度Ｔａとの差（Ｔｉｎ−Ｔａ）と、予め設定された基準温度Ｔｓと、を比較し、（Ｔｉｎ−Ｔａ）＞Ｔｓである場合に、Ｓ２０３に進んでもよい。その基準温度Ｔｓは、例えば、使用者等によって任意の値に設定されてもよく、また、制御装置５１によって季節等に応じた値に設定されてもよい。その基準温度Ｔｓは、本発明の「第１基準温度」に相当する。
【００３５】
有効性判別部８１は、Ｓ２０３において、室内温度センサー１３の検出温度Ｔｉｎと室外温度センサー１４の検出温度Ｔｏｕｔとの差（Ｔｉｎ−Ｔｏｕｔ）と、予め設定された基準温度Ｔｓと、を比較し、（Ｔｉｎ−Ｔｏｕｔ）＞Ｔｓである場合には、Ｓ２０６に進んで、換気設備機器２１が非定常状態になるように、換気設備機器制御部５３に指令を送信し、Ｓ２０１に戻る。（Ｔｉｎ−Ｔｏｕｔ）＞Ｔｓでない場合には、Ｓ２０５に進んで、使用者等からの空調設備機器１１の空調動作の開始指令の有無を判定する。開始指令が無い場合には、Ｓ２０２に戻り、開始指令が有る場合には、Ｓ２０７に進む。
【００３６】
有効性判別部８１は、Ｓ２０７において、空調設備機器１１の空調動作の開始指令が、冷房運転の開始指令であるのか、それとも、暖房運転の開始指令であるのかを判定する。冷房運転の開始指令である場合には、Ｓ２０８に進んで、換気設備機器２１が定常状態になり、空調設備機器１１が冷房運転を開始するように、換気設備機器制御部５３及び空調設備機器制御部５２に指令を送信する。暖房運転の開始指令である場合には、Ｓ２０９に進んで、換気設備機器２１が定常状態になり、空調設備機器１１が暖房運転を行うように、換気設備機器制御部５３及び空調設備機器制御部５２に指令を送信する。
【００３７】
＜換気システムの作用＞
以下に、実施の形態２に係る換気システムの作用について説明する。
換気システム１では、空調設備機器１１の空調動作が行われていない際に、有効性判別部８１で、非定常状態が有効であるか否かを判別し、有効であると判別される場合に換気設備機器２１を非定常状態にするため、空調設備機器１１の空調動作に余分な負荷がかかることの抑制と、換気設備機器２１の換気動作に余分な負荷がかかることの抑制とが、両立されて、省エネ性能が向上される。
【００３８】
実施の形態３．
実施の形態３に係る換気システムについて説明する。
なお、以下では、実施の形態１及び実施の形態２と重複又は類似する説明については、適宜簡略化又は省略している。
＜換気システムの構成＞
以下に、実施の形態３に係る換気システムの構成について説明する。
【００３９】
図５は、本発明の実施の形態３に係る換気システムの、システムブロック図である。
図５に示されるように、宅内設備機器集中管理部５４は、使用者等が設定する空調設備機器１１の空調動作の開始時刻が携帯電話、タブレット端末等の遠隔操作機器９１等を介して入力される空調動作開始時刻入力部８４を有する。
【００４０】
＜換気システムの動作＞
以下に、実施の形態３に係る換気システムの動作について説明する。
有効性判別部８１は、例えば、使用者等が、住宅２の宅外から携帯電話、タブレット端末等の遠隔操作機器９１等を介して、空調設備機器１１の空調動作の開始時刻を制御装置５１に送信すると、以下に説明する有効判別処理を行う。
【００４１】
図６は、本発明の実施の形態３に係る換気システムの、有効判別処理のフローチャートである。
図６に示されるように、有効性判別部８１は、Ｓ３０１において、空調設備機器１１の空調動作の開始指令が、冷房運転の開始指令であるのか、それとも、暖房運転の開始指令であるのかを判定する。冷房運転の開始指令である場合には、Ｓ３０２に進む。暖房運転の開始指令である場合には、Ｓ３０３に進み、空調動作開始時刻入力部８４に入力された時刻である空調動作開始時刻ＴＭａｃになると、Ｓ３０４に進んで、換気設備機器２１が定常状態になり、空調設備機器１１が暖房運転を行うように、換気設備機器制御部５３及び空調設備機器制御部５２に指令を送信する。空調動作開始時刻ＴＭａｃは、本発明の「第１時刻」に相当する。
【００４２】
有効性判別部８１は、Ｓ３０２において、空調動作開始時刻ＴＭａｃから予め設定された基準時間ＴＭｓだけ前の換気動作切換時刻ＴＭｖｅｎを算出し、換気動作切換時刻ＴＭｖｅｎになると、Ｓ３０５に進む。換気動作切換時刻ＴＭｖｅｎになっていない場合には、Ｓ３０６に進んで、換気設備機器２１が定常状態になるように、換気設備機器制御部５３に指令を送信する。換気動作切換時刻ＴＭｖｅｎは、本発明の「第２時刻」に相当する。基準時間ＴＭｓは、本発明の「第１基準時間」に相当する。
【００４３】
基準時間ＴＭｓは、例えば、１時間に設定される。基準時間ＴＭｓは、例えば、使用者等によって任意の値に設定されてもよく、また、制御装置５１によって季節等に応じた値に設定されてもよい。
【００４４】
基準時間ＴＭｓは、住宅２の宅内の容積、換気設備機器２１が非定常状態である際の換気量、住宅２の躯体の材質、及び断熱性能（Ｑ値）の少なくともいずれか１つに基づいて、制御装置５１によって算出され、自動で設定されるとよい。例えば、基準時間ＴＭｓ［ｈ］は、住宅２の宅内の容積をＣ［ｍ３］、換気設備機器２１が非定常状態である際の換気量をＶ［ｍ３／ｈ］、空気の入れ換え回数Ｋを用いて、以下の式１で算出される。空気の入れ換え回数Ｋは、住宅２の躯体の材質及び断熱性能（Ｑ値）から決定される係数である。
【００４５】
【数１】
2015040655.tif 000003
【００４６】
基準時間ＴＭｓが、式１のように算出されることで、住宅２が、躯体の熱容量が大きく、断熱性能（Ｑ値）が低いものである場合においても、換気量の不足を抑制することができる。また、換気設備機器２１が非定常状態となる時間又は回数をできる限り少なくすることができ、換気設備機器２１の換気動作に余分な負荷がかかることが抑制される。
【００４７】
有効性判別部８１は、Ｓ３０５において、室内温度センサー１３の検出温度Ｔｉｎと室外温度センサー１４の検出温度Ｔｏｕｔとの差（Ｔｉｎ−Ｔｏｕｔ）と、予め設定された基準温度Ｔｓと、を比較し、（Ｔｉｎ−Ｔｏｕｔ）＞Ｔｓである場合には、Ｓ３０７に進んで、換気設備機器２１が非定常状態になるように、換気設備機器制御部５３に指令を送信し、Ｓ３０９に進む。（Ｔｉｎ−Ｔｏｕｔ）＞Ｔｓでない場合には、Ｓ３０８に進んで、換気設備機器２１が定常状態になるように、換気設備機器制御部５３に指令を送信し、Ｓ３０９に進む。
【００４８】
有効性判別部８１は、Ｓ３０９において、空調動作開始時刻ＴＭａｃになっているかを判定し、空調動作開始時刻ＴＭａｃになっている場合には、Ｓ３１０に進んで、換気設備機器２１が定常状態になり、空調設備機器１１が冷房運転を行うように、換気設備機器制御部５３及び空調設備機器制御部５２に指令を送信する。空調動作開始時刻ＴＭａｃになっていない場合には、Ｓ３０５に戻る。
【００４９】
＜換気システムの作用＞
以下に、実施の形態３に係る換気システムの作用について説明する。
換気システム１では、空調動作開始時刻ＴＭａｃから予め設定された基準時間ＴＭｓだけ前の換気動作切換時刻ＴＭｖｅｎを算出し、換気動作切換時刻ＴＭｖｅｎになると、非定常状態が有効であるか否かの判別を開始するため、空調設備機器１１の空調動作に余分な負荷がかかることの抑制と、換気設備機器２１の換気動作に余分な負荷がかかることの抑制とが、両立されて、省エネ性能が向上される。
【００５０】
なお、宅内設備機器集中管理部５４が、換気設備機器２１の非定常状態の有効性の判別を行うことなく、換気設備機器２１を非定常状態に切り換えてもよい。宅内設備機器集中管理部５４が、換気設備機器２１の非定常状態の有効性の判別を行う場合には、換気設備機器２１の換気動作に余分な負荷がかかることが抑制される。
【００５１】
実施の形態４．
実施の形態４に係る換気システムについて説明する。
なお、以下では、実施の形態１〜実施の形態３と重複又は類似する説明については、適宜簡略化又は省略している。
＜換気システムの構成＞
以下に、実施の形態４に係る換気システムの構成について説明する。
【００５２】
図７は、本発明の実施の形態４に係る換気システムの、システムブロック図である。
図７に示されるように、宅内設備機器集中管理部５４は、使用者等が設定する帰宅時刻が携帯電話、タブレット端末等の遠隔操作機器９１等を介して入力される帰宅時刻入力部８５を有する。使用者等は、帰宅時刻を、遠隔操作機器９１の画面に表示させたカレンダー上で設定してもよく、また、帰宅するまでに要する時間を入力することで設定してもよい。
【００５３】
＜換気システムの動作＞
以下に、実施の形態４に係る換気システムの動作について説明する。
有効性判別部８１は、例えば、使用者等が、住宅２の宅外から携帯電話、タブレット端末等の遠隔操作機器９１等を介して、帰宅時刻と空調設備機器１１の冷房運転の帰宅前開始指令とを制御装置５１に送信すると、以下に説明する有効判別処理を行う。
【００５４】
図８は、本発明の実施の形態４に係る換気システムの、有効判別処理のフローチャートである。
図８に示されるように、有効性判別部８１は、Ｓ４０１において、帰宅時刻ＴＭｈから予め設定された基準時間ＴＭｓだけ前の換気動作切換時刻ＴＭｖｅｎを算出し、換気動作切換時刻ＴＭｖｅｎになっているかを判定し、換気動作切換時刻ＴＭｖｅｎになっている場合には、Ｓ４０２に進む。換気動作切換時刻ＴＭｖｅｎになっていない場合には、Ｓ４０３に進んで、換気設備機器２１が定常状態になり、空調設備機器１１が停止状態になるように、換気設備機器制御部５３及び空調設備機器制御部５２に指令を送信して、Ｓ４０１に戻る。帰宅時刻ＴＭｈは、本発明の「第３時刻」に相当する。換気動作切換時刻ＴＭｖｅｎは、本発明の「第４時刻」に相当する。基準時間ＴＭｓは、本発明の「第３基準時間」に相当する。
【００５５】
基準時間ＴＭｓは、例えば、１時間に設定される。基準時間ＴＭｓは、例えば、使用者等によって任意の値に設定されてもよく、また、制御装置５１によって季節等に応じた値に設定されてもよい。
【００５６】
基準時間ＴＭｓは、住宅２の宅内の容積、換気設備機器２１が非定常状態である際の換気量、住宅２の躯体の材質、及び断熱性能（Ｑ値）の少なくともいずれか１つに基づいて、制御装置５１によって算出され、自動で設定されるとよい。例えば、基準時間ＴＭｓ［ｈ］は、住宅２の宅内の容積をＣ［ｍ３］、換気設備機器２１が非定常状態である際の換気量をＶ［ｍ３／ｈ］、空気の入れ換え回数Ｋを用いて、以下の式２で算出される。空気の入れ換え回数Ｋは、住宅２の躯体の材質及び断熱性能（Ｑ値）から決定される係数である。
【００５７】
【数２】
2015040655.tif 000004
【００５８】
基準時間ＴＭｓが、式２のように算出されることで、住宅２が、躯体の熱容量が大きく、断熱性能（Ｑ値）が低いものである場合においても、換気量の不足を抑制することができる。また、換気設備機器２１が非定常状態となる時間又は回数をできる限り少なくすることができ、換気設備機器２１の換気動作に余分な負荷がかかることが抑制される。
【００５９】
有効性判別部８１は、Ｓ４０２において、室内温度センサー１３の検出温度Ｔｉｎと室外温度センサー１４の検出温度Ｔｏｕｔとの差（Ｔｉｎ−Ｔｏｕｔ）と、予め設定された基準温度Ｔｓと、を比較し、（Ｔｉｎ−Ｔｏｕｔ）＞Ｔｓである場合には、Ｓ４０４に進んで、換気設備機器２１が非定常状態になり、空調設備機器１１が停止状態になるように、換気設備機器制御部５３及び空調設備機器制御部５２に指令を送信し、Ｓ４０６に進む。（Ｔｉｎ−Ｔｏｕｔ）＞Ｔｓでない場合には、Ｓ４０５に進んで、換気設備機器２１が定常状態になり、空調設備機器１１が停止状態になるように、換気設備機器制御部５３及び空調設備機器制御部５２に指令を送信し、Ｓ４０６に進む。
【００６０】
有効性判別部８１は、Ｓ４０６において、帰宅時刻ＴＭｈから予め設定された基準時間ＴＭｓだけ前の空調動作開始時刻ＴＭａｃを算出し、空調動作開始時刻ＴＭａｃになっているかを判定し、空調動作開始時刻ＴＭａｃになっている場合には、Ｓ４０７に進んで、換気設備機器２１が定常状態になり、空調設備機器１１が冷房運転を行うように、換気設備機器制御部５３及び空調設備機器制御部５２に指令を送信する。空調動作開始時刻ＴＭａｃになっていない場合には、Ｓ４０２に戻る。空調動作開始時刻ＴＭａｃは、本発明の「第１時刻」に相当する。基準時間ＴＭｓは、本発明の「第２基準時間」に相当する。
【００６１】
基準時間ＴＭｓは、例えば、１０分に設定され、換気動作切換時刻ＴＭｖｅｎの算出のための基準時間ＴＭｓと比較して短い時間である。基準時間ＴＭｓは、例えば、使用者等によって任意の値に設定されてもよく、また、制御装置５１によって季節等に応じた値に設定されてもよい。
【００６２】
＜換気システムの作用＞
以下に、実施の形態４に係る換気システムの作用について説明する。
換気システム１では、帰宅時刻ＴＭｈから予め設定された基準時間ＴＭｓだけ前の換気動作切換時刻ＴＭｖｅｎを算出し、換気動作切換時刻ＴＭｖｅｎになると、非定常状態が有効であるか否かの判別を開始するため、空調設備機器１１の空調動作に余分な負荷がかかることの抑制と、換気設備機器２１の換気動作に余分な負荷がかかることの抑制とが、両立されて、省エネ性能が向上される。
【００６３】
なお、宅内設備機器集中管理部５４が、換気設備機器２１の非定常状態の有効性の判別を行うことなく、換気設備機器２１を非定常状態に切り換えてもよい。宅内設備機器集中管理部５４が、換気設備機器２１の非定常状態の有効性の判別を行う場合には、換気設備機器２１の換気動作に余分な負荷がかかることが抑制される。
【００６４】
実施の形態５．
実施の形態５に係る換気システムについて説明する。
なお、以下では、実施の形態１〜実施の形態４と重複又は類似する説明については、適宜簡略化又は省略している。
＜換気システムの構成＞
以下に、実施の形態５に係る換気システムの構成について説明する。
【００６５】
図９は、本発明の実施の形態５に係る換気システムの、システムブロック図である。
図９に示されるように、宅内設備機器集中管理部５４は、使用者等が設定する空調動作を行わせる空調設備機器１１が携帯電話、タブレット端末等の遠隔操作機器９１等を介して入力される空調設備機器入力部８６と、使用者等が設定する住宅２の間取りが携帯電話、タブレット端末等の遠隔操作機器９１等を介して入力される間取り入力部８７と、使用者等が設定する少なくとも空調設備機器１１、排気用換気扇３１、及び吸気用換気扇４１の配置が携帯電話、タブレット端末等の遠隔操作機器９１等を介して入力される設備機器配置入力部８８と、を有する。
【００６６】
図１０は、本発明の実施の形態５に係る換気システムの、遠隔操作機器における住宅の間取りと設備機器の配置との設定画面を示す図である。
図１０に示されるように、携帯電話、タブレット端末等の遠隔操作機器９１は、タッチパネル式の画面９２を有し、使用者等は、画面９２上で、住宅２の間取りと、少なくとも空調設備機器１１、排気用換気扇３１、及び吸気用換気扇４１の配置と、を設定することができる。画面９２上で、空調動作を行わせる空調設備機器１１を設定することができてもよく、また、画面９２上で、空調設備機器１１の運転状態、排気用換気扇３１及び吸気用換気扇４１の運転状態等が、確認できてもよい。
【００６７】
＜換気システムの動作＞
以下に、実施の形態５に係る換気システムの動作について説明する。
有効性判別部８１は、例えば、使用者等が、住宅２の宅外から携帯電話、タブレット端末等の遠隔操作機器９１等を介して、帰宅時刻と冷房運転を行わせる空調設備機器１１とその冷房運転の帰宅前開始指令とを制御装置５１に送信すると、以下に説明する有効判別処理を行う。
【００６８】
図１１は、本発明の実施の形態５に係る換気システムの、有効判別処理のフローチャートである。
図１１に示されるように、有効性判別部８１は、Ｓ５０１において、空調設備機器入力部８６に入力された空調設備機器１１によって空調される部屋を換気することができ、且つ、最も距離が離れた排気用換気扇３１と吸気用換気扇４１とを、換気設備機器２１が非定常状態になった際に稼働させる換気扇として選択する。例えば、空調設備機器入力部８６に入力された空調設備機器１１が住宅２の１階の空調設備機器１１である場合には、住宅２の１階に設けられ、且つ、最も距離が離れた排気用換気扇３１と吸気用換気扇４１とが選択される。最も距離が離れた排気用換気扇３１と吸気用換気扇４１とに加えて、その近くに設けられた排気用換気扇３１又は吸気用換気扇４１が選択されてもよい。
【００６９】
Ｓ５０２において、帰宅時刻ＴＭｈから予め設定された基準時間ＴＭｓだけ前の換気動作切換時刻ＴＭｖｅｎを算出し、換気動作切換時刻ＴＭｖｅｎになっているかを判定し、換気動作切換時刻ＴＭｖｅｎになっている場合には、Ｓ５０３に進む。換気動作切換時刻ＴＭｖｅｎになっていない場合には、Ｓ５０４に進んで、換気設備機器２１が定常状態になり、空調設備機器１１が停止状態になるように、換気設備機器制御部５３及び空調設備機器制御部５２に指令を送信して、Ｓ５０２に戻る。
【００７０】
有効性判別部８１は、Ｓ５０３において、室内温度センサー１３の検出温度Ｔｉｎと室外温度センサー１４の検出温度Ｔｏｕｔとの差（Ｔｉｎ−Ｔｏｕｔ）と、予め設定された基準温度Ｔｓと、を比較し、（Ｔｉｎ−Ｔｏｕｔ）＞Ｔｓである場合には、Ｓ５０５に進む。（Ｔｉｎ−Ｔｏｕｔ）＞Ｔｓでない場合には、Ｓ５０６に進んで、換気設備機器２１が定常状態になり、空調設備機器１１が停止状態になるように、換気設備機器制御部５３及び空調設備機器制御部５２に指令を送信し、Ｓ５０７に進む。
【００７１】
有効性判別部８１は、Ｓ５０５において、Ｓ５０１で選択された排気用換気扇３１及び吸気用換気扇４１が最大風量で稼働し、空調設備機器１１が停止状態になるように、換気設備機器制御部５３及び空調設備機器制御部５２に指令を送信し、Ｓ５０７に進む。排気用換気扇３１及び吸気用換気扇４１は、必ずしも最大風量で稼働されなくてもよい。排気用換気扇３１及び吸気用換気扇４１の風量が、例えば、使用者等によって任意の値に設定されてもよく、また、制御装置５１によって季節等に応じた値に設定されてもよい。
【００７２】
有効性判別部８１は、Ｓ５０７において、帰宅時刻ＴＭｈから予め設定された基準時間ＴＭｓだけ前の空調動作開始時刻ＴＭａｃを算出し、空調動作開始時刻ＴＭａｃになっているかを判定し、空調動作開始時刻ＴＭａｃになっている場合には、Ｓ５０８に進んで、換気設備機器２１が定常状態になり、空調設備機器１１が冷房運転を行うように、換気設備機器制御部５３及び空調設備機器制御部５２に指令を送信する。空調動作開始時刻ＴＭａｃになっていない場合には、Ｓ５０３に戻る。
【００７３】
なお、Ｓ５０１における排気用換気扇３１と吸気用換気扇４１との選択が、有効性判別部８１ではなく、遠隔操作機器９１で行われて、選択結果が有効性判別部８１に送信されてもよい。そのような場合には、画面９２に選択結果が表示されてもよい。また、Ｓ５０１における排気用換気扇３１と吸気用換気扇４１との選択が、有効性判別部８１で行われ、遠隔操作機器９１が選択結果を受信することで、画面９２に選択結果が表示されてもよい。
【００７４】
また、住宅２が、各部屋間の通気性が高い構造、間取り等である場合には、宅内設備機器集中管理部５４が、空調設備機器入力部８６を有しなくてもよく、また、設備機器配置入力部８８が、空調設備機器１１の配置を入力しないものであってもよい。そのような場合には、有効性判別部８１は、Ｓ５０１において、単に、最も距離が離れた排気用換気扇３１と吸気用換気扇４１とを、換気設備機器２１が非定常状態になった際に稼働させる換気扇として選択すればよい。
【００７５】
＜換気システムの作用＞
以下に、実施の形態５に係る換気システムの作用について説明する。
換気システム１では、換気設備機器２１が非定常状態となる際に、最も距離が離れた排気用換気扇３１と吸気用換気扇４１とが選択されて稼働され、効率的に換気が行われるため、空調設備機器１１の空調動作に余分な負荷がかかることの抑制と、換気設備機器２１の換気動作に余分な負荷がかかることの抑制とが、両立されて、省エネ性能が向上される。
【００７６】
なお、宅内設備機器集中管理部５４が、換気設備機器２１の非定常状態の有効性の判別を行うことなく、換気設備機器２１を非定常状態に切り換えてもよい。宅内設備機器集中管理部５４が、換気設備機器２１の非定常状態の有効性の判別を行う場合には、換気設備機器２１の換気動作に余分な負荷がかかることが抑制される。
【００７７】
実施の形態６．
実施の形態６に係る換気システムについて説明する。
なお、以下では、実施の形態１〜実施の形態５と重複又は類似する説明については、適宜簡略化又は省略している。
＜換気システムの構成＞
以下に、実施の形態６に係る換気システムの構成について説明する。
【００７８】
住宅２の１階に設けられた空調設備機器１１の通信部６３は、室内温度センサー１３の下階側検出温度を宅内設備機器集中管理部５４に送信する。住宅２の２階に設けられた空調設備機器１１の通信部６３は、室内温度センサー１３の上階側検出温度を宅内設備機器集中管理部５４に送信する。住宅２の１階に設けられた空調設備機器１１の室内温度センサー１３は、本発明の「第１温度センサー」に相当する。住宅２の２階に設けられた空調設備機器１１の室内温度センサー１３は、本発明の「第３温度センサー」に相当する。
【００７９】
＜換気システムの動作＞
以下に、実施の形態６に係る換気システムの動作について説明する。
有効性判別部８１は、例えば、使用者等が、住宅２の宅外から携帯電話、タブレット端末等の遠隔操作機器９１等を介して、帰宅時刻と冷房運転を行わせる空調設備機器１１とその冷房運転の帰宅前開始指令とを制御装置５１に送信すると、以下に説明する有効判別処理を行う。
【００８０】
図１２は、本発明の実施の形態６に係る換気システムの、有効判別処理のフローチャートである。
図１２に示されるように、有効性判別部８１は、Ｓ６０１において、帰宅時刻ＴＭｈから予め設定された基準時間ＴＭｓだけ前の換気動作切換時刻ＴＭｖｅｎを算出し、換気動作切換時刻ＴＭｖｅｎになっているかを判定し、換気動作切換時刻ＴＭｖｅｎになっている場合には、Ｓ６０２に進む。換気動作切換時刻ＴＭｖｅｎになっていない場合には、Ｓ６０３に進んで、換気設備機器２１が定常状態になり、空調設備機器１１が停止状態になるように、換気設備機器制御部５３及び空調設備機器制御部５２に指令を送信して、Ｓ６０１に戻る。
【００８１】
有効性判別部８１は、Ｓ６０２において、住宅２の２階に設けられた空調設備機器１１の室内温度センサー１３の上階側検出温度Ｔｉｎ２Ｆと、住宅２の１階に設けられた空調設備機器１１の室内温度センサー１３の下階側検出温度Ｔｉｎ１Ｆと、の差（Ｔｉｎ２Ｆ−Ｔｉｎ１Ｆ）と、予め設定された基準温度Ｔｓと、を比較し、（Ｔｉｎ２Ｆ−Ｔｉｎ１Ｆ）＞Ｔｓである場合には、Ｓ６０４に進む。（Ｔｉｎ２Ｆ−Ｔｉｎ１Ｆ）＞Ｔｓでない場合には、Ｓ６０５に進んで、換気設備機器２１が定常状態になり、空調設備機器１１が停止状態になるように、換気設備機器制御部５３及び空調設備機器制御部５２に指令を送信し、Ｓ６０６に進む。上階側検出温度Ｔｉｎ２Ｆと、下階側検出温度Ｔｉｎ１Ｆと、を比較し、Ｔｉｎ２Ｆ＞Ｔｉｎ１Ｆである場合に、Ｓ６０４に進んでもよい。基準温度Ｔｓは、本発明の「第３基準温度」に相当する。
【００８２】
有効性判別部８１は、Ｓ６０４において、住宅２の１階に設けられた排気用換気扇３１が小風量で稼働又は停止し、住宅２の１階に設けられた吸気用換気扇４１が最大風量で稼働し、住宅２の２階に設けられた排気用換気扇３１が最大風量で稼働し、住宅２の２階に設けられた吸気用換気扇４１が小風量で稼働又は停止し、空調設備機器１１が停止状態になるように、換気設備機器制御部５３及び空調設備機器制御部５２に指令を送信し、Ｓ６０６に進む。住宅２の１階に設けられた吸気用換気扇４１及び住宅２の２階に設けられた排気用換気扇３１が、必ずしも最大風量で稼働されなくてもよい。住宅２の１階に設けられた吸気用換気扇４１及び住宅２の２階に設けられた排気用換気扇３１の風量が、例えば、使用者等によって任意の値に設定されてもよく、また、制御装置５１によって季節等に応じた値に設定されてもよい。
【００８３】
有効性判別部８１は、Ｓ６０６において、帰宅時刻ＴＭｈから予め設定された基準時間ＴＭｓだけ前の空調動作開始時刻ＴＭａｃを算出し、空調動作開始時刻ＴＭａｃになっているかを判定し、空調動作開始時刻ＴＭａｃになっている場合には、Ｓ６０７に進んで、換気設備機器２１が定常状態になり、空調設備機器１１が冷房運転を行うように、換気設備機器制御部５３及び空調設備機器制御部５２に指令を送信する。空調動作開始時刻ＴＭａｃになっていない場合には、Ｓ６０２に戻る。
【００８４】
なお、宅内設備機器集中管理部５４が、使用者等が設定する空調動作を行わせる空調設備機器１１が携帯電話、タブレット端末等の遠隔操作機器９１等を介して入力される空調設備機器入力部８６と、使用者等が設定する住宅２の間取りが携帯電話、タブレット端末等の遠隔操作機器９１等を介して入力される間取り入力部８７と、使用者等が設定する少なくとも空調設備機器１１、排気用換気扇３１、及び吸気用換気扇４１の配置が携帯電話、タブレット端末等の遠隔操作機器９１等を介して入力される設備機器配置入力部８８と、を有してもよい。そのような場合には、有効性判別部８１は、Ｓ６０４において、空調設備機器入力部８６に入力された空調設備機器１１によって空調される部屋を換気することができ、且つ、最も距離が離れた排気用換気扇３１及び吸気用換気扇４１を、選択するとよい。
【００８５】
また、住宅２の１階又は２階のそれぞれの異なる高さに排気用換気扇３１及び吸気用換気扇４１が設けられてもよく、そのような場合には、例えば、有効性判別部８１は、Ｓ６０４において、住宅２の１階の床面付近に設けられた排気用換気扇３１が小風量で稼働又は停止し、住宅２の１階の床面付近に設けられた吸気用換気扇４１が最大風量で稼働し、住宅２の１階の天井付近に設けられた排気用換気扇３１が最大風量で稼働し、住宅２の１階の天井付近に設けられた吸気用換気扇４１が小風量で稼働又は停止するように、換気設備機器制御部５３に指令を送信すればよい。
【００８６】
＜換気システムの作用＞
以下に、実施の形態６に係る換気システムの作用について説明する。
図１３は、本発明の実施の形態６に係る換気システムの、作用を説明する図である。
換気システム１では、換気設備機器２１が非定常状態となる際に、住宅２の１階に設けられた排気用換気扇３１が小風量で稼働又は停止し、住宅２の１階に設けられた吸気用換気扇４１が最大風量で稼働し、住宅２の２階に設けられた排気用換気扇３１が最大風量で稼働し、住宅２の２階に設けられた吸気用換気扇４１が小風量で稼働又は停止するように制御されるため、図１３に示されるように、住宅２の宅内の煙突効果によって生じる空気流れを利用することができ、住宅２の宅内の換気が効率的に行われるため、空調設備機器１１の空調動作に余分な負荷がかかることの抑制と、換気設備機器２１の換気動作に余分な負荷がかかることの抑制とが、両立されて、省エネ性能が向上される。
【００８７】
なお、宅内設備機器集中管理部５４が、換気設備機器２１の非定常状態の有効性の判別を行うことなく、換気設備機器２１を非定常状態に切り換えてもよい。宅内設備機器集中管理部５４が、換気設備機器２１の非定常状態の有効性の判別を行う場合には、換気設備機器２１の換気動作に余分な負荷がかかることが抑制される。
【００８８】
以上、実施の形態１〜実施の形態６について説明したが、本発明は各実施の形態の説明に限定されない。例えば、各実施の形態の全て又は一部を組み合わせることも可能である。
【符号の説明】
【００８９】
１  換気システム、２  住宅、１１  空調設備機器、１２  室外空調設備機器、１３  室内温度センサー、１４  室外温度センサー、２１  換気設備機器、３１  排気用換気扇、３２  排気風量センサー、４１  吸気用換気扇、５１  制御装置、５２  空調設備機器制御部、５３  換気設備機器制御部、５４  宅内設備機器集中管理部、６１  設定温度入力部、６２  空調動作制御部、６３  通信部、７１  設定風量入力部、７２  換気動作制御部、７３  通信部、７４  通信部、８１  有効性判別部、８２  通信部、８３  通信部、８４  空調動作開始時刻入力部、８５  帰宅時刻入力部、８６  空調設備機器入力部、８７  間取り入力部、８８  設備機器配置入力部、９１  遠隔操作機器、９２  画面。
【図１】
2015040655.tif 000005
【図２】
2015040655.tif 000006
【図３】
2015040655.tif 000007
【図４】
2015040655.tif 000008
【図５】
2015040655.tif 000009
【図６】
2015040655.tif 000010
【図７】
2015040655.tif 000011
【図８】
2015040655.tif 000012
【図９】
2015040655.tif 000013
【図１０】
2015040655.tif 000014
【図１１】
2015040655.tif 000015
【図１２】
2015040655.tif 000016
【図１３】
2015040655.tif 000017